(57)【要約】【課題】  屋根本体と連結体という簡単な構造でありながら、防水性に優れると共に、加工性、施工性に優れてなるもので、特殊な技術を必要とせず、ボルトで固定することで、簡単・容易に組立てができる屋根構造を提供する。  また、給油所用キャノピーにおいても、給油所内の特にガソリン・灯油等の計量機用のキャノピーで、簡単な構造であり、在来の土間コンクリートに直接ケミカルアンカーを打ち込み、組み立てられるもので、軽量であり、運搬が容易であり、施工方法においても工期を大幅に短縮することができ、実用上極めて有効な給油所用キャノピー及び施工方法を提供する。【解決手段】  長板の両側を内側に折り曲げてなる係止片を設けてなる屋根本体と、該屋根本体を連結する帯板の両側を下方に折り曲げてなる連結片を設けてなる連結体とからなるもので、当接した屋根本体の係止片間上方より取り付けボルト等にて連設してなることを特徴とする。【選択図】  図１
2005299357.tif 000002
【特許請求の範囲】
【請求項１】
長板の両側を内側に折り曲げてなる係止片を設けてなる屋根本体と、該屋根本体を連結する帯板の両側を下方に折り曲げてなる連結片を設けてなる連結体とからなるもので、当接した屋根本体の係止片間上方より取り付けボルト等にて連設してなることを特徴とする屋根構造。
【請求項２】
係止片を略ハの字形に形成すると共に、連結片を略コの字形に形成してなることを特徴とする請求項１記載の屋根構造。
【請求項３】
連結体に、ボルト等を一体的に設けてなることを特徴とする請求項１又は２記載の屋根構造。
【請求項４】
所要間隔にて立設すべく、アンカー板に、少なくとも１本の柱を立設してなる柱本体と、該柱本体を連結する連結枠と、上記屋根構造を取り付ける屋根枠とからなることを特徴とする給油所用キャノピー。
【請求項５】
給油施設内の土間コンクリートの設置場所にアンカーを打ち込み、その上方に上記給油所用キャノピーのアンカー板を合せ、ボルトにて固定して立設した後、周囲に別のアンカーを打ち込み、このアンカーにスタッドボルトを螺入し、その上面にメッシュ板を載置し、周囲に型枠を設置した後、内部にコンクリートを打設してアイランドを形成し、このアイランド上に計量機を載置してなることを特徴とする給油所用キャノピー施工方法。
【発明の詳細な説明】
【技術分野】
【０００１】  本発明は、簡単・容易に組み立てられる屋根構造及びこの屋根構造を使用した給油所用キャノピー並びに施工方法に関するものである。
【背景技術】
【０００２】  従来の技術として、例えば、略水平に近い屋根こう配を有する建物の屋根構造であって、建物上に設けられる複数のタイトフレームと、そのタイトフレーム上に設けられ、水上側端部にて建物上に棟を形成する複数のルーフデッキと、そのルーフデッキの水上側端部にて形成される棟上を覆う棟包板とを備え、棟包板とルーフデッキとの間には、そのルーフデッキの表面形状に沿った棟面戸が設けられると共に、そのルーフデッキと棟面戸との接触部には、コーキングが施されていることを特徴とする建物の屋根構造がある。（特許文献１参照）【０００３】  また、給油所用キャノピーとしては、例えば、基礎上に支柱よりなる主架構を立設し、その主架構の周囲で屋根部の骨組を組立て、その骨組を所定高さ持ち上げて主架構に仮止めし、その所定高さの所で屋根部を組立て、次いでその組立てた屋根部を主架構の上部まで吊上げて固定することを特徴とする給油所のキャノピーの製造方法がある。（特許文献２参照）【０００４】  さらに、従来の給油所用キャノピー施工方法としては、土間コンクリートＤＭをカッターにてハツリ、アンカーボルトＡＢを埋設すべくコンクリートＫＲ１を打設し、養生した後、重量鉄骨（Ｈ鋼）による柱Ｈ、ルーフデッキによる屋根Ｙを溶接により固着して、組み立て施工するものである。
【特許文献１】  特開２００３−１３８６９５号公報
【特許文献２】  特開平９−２７９８７１号公報
【発明の開示】
【発明が解決しようとする課題】
【０００５】  上記前者においては、ルーフデッキをベースとして構成されており、大きな（広い）屋根構造の場合には、溶接等を使用して組み立てるため、火気厳禁の場所には使用できず、小型の屋根には不向きである。【０００６】  また、上記中者においても、大型のキャノピーであり、大型クレーン等を使用して施工してなるもので、本発明の目的と異なるものである。【０００７】  さらに、上記後者の方法では、養生（アンカーボルトＡＢ部）に１週間以上掛り、工期に多大な時間を要するものである。
また、キャノピーを組み立てる上においても、溶接を必要とするため、火気厳禁な場所において非常に問題がある。【０００８】  本発明は、上記の問題点に鑑みなされたもので、その目的は、屋根本体と連結体という簡単な構造でありながら、防水性に優れると共に、加工性、施工性に優れてなるもので、特殊な技術を必要とせず、ボルトで固定することで、簡単・容易に組立てができる屋根構造を提供するものである。【０００９】  また、給油所用キャノピーにおいても、給油所内の特にガソリン・灯油等の計量機用のキャノピーであり、簡単な構造であり、在来の土間コンクリートに直接ケミカルアンカーを打ち込み、組み立てられるもので、工期が短く、軽量であり、運搬が容易であり、安全に組み立てできるもので、実用上極めて有効な給油所用キャノピー及び施工方法を提供するものである。
【課題を解決するための手段】
【００１０】  そして、本発明は上記目的を達成するため、屋根構造においては、長板の両側を内側に折り曲げてなる係止片を設けてなる屋根本体と、該屋根本体を連結する帯板の両側を下方に折り曲げてなる連結片を設けてなる連結体とからなるもので、当接した屋根本体の係止片間上方より取り付けボルト等にて連設してなること。また、係止片を略ハの字形に形成すると共に、連結片を略コの字形に形成してなること。さらに、連結体に、ボルト等を一体的に設けてなることを特徴とする。
また、給油所用キャノピーにおいて、所要間隔にて立設すべく、アンカー板に、少なくとも１本の柱を立設してなる柱本体と、該柱本体を連結する連結枠と、上記屋根構造を取り付ける屋根枠とからなること。給油施設内の土間コンクリートの設置場所にアンカーを打ち込み、その上方に上記給油所用キャノピーのアンカー板を合せ、ボルトにて固定して立設した後、周囲に別のアンカーを打ち込み、このアンカーにスタッドボルトを螺入し、その上面にメッシュ板を載置し、周囲に型枠を設置した後、内部にコンクリートを打設してアイランドを形成し、このアイランド上に計量機を載置してなることを特徴とする給油所用キャノピー施工方法。
【発明の効果】
【００１１】１）、屋根構造において、屋根本体と連結体との２つの部材により、特に技術を要するこ  となく組立できる。
２）、軽量であるため運搬も楽である。
３）、屋根本体を略ハの字にすることにより、連結体にて押えられ、バネ力により確実に  密着・固定でき、加工も容易で安価に提供できる。
４）、また、雨水が上方に移動することなく漏水の危険性もない。
５）、連結体は、略コの字形に形成しているため、隙間なく密着して連結でき、美的に仕  上がるものである。
６）、連結体に、ボルトを一体的に設けることにより、施工性を向上させると共に、部品  を紛失することもなく、便利である。
７）、給油所用キャノピーにおいては、柱本体、連結枠、屋根構造、屋根枠等を、各々独  立した部材で構成することにより、軽量で運搬が楽で、ボルトにて誰でも簡単に組み立  てられる。
８）、火気を使用しないため、安全・安心して施工できる。
９）、給油所用キャノピー施工方法においては、土間コンクリートをハツルこともなく、  そのまま上面に立設することができるため、工期が非常に短く、組立て全体に掛る時間  も半日で可能であり、作業効率を飛躍的に向上させてなる。
１０）、土間コンクリートにスタッドボルトを取り付けることにより土間コンクリートと  アイランドの密着度を高め、アイランドを上基礎とすることができ、１日で完了できる  。
【発明を実施するための最良の形態】
【実施例】
【００１２】  屋根構造は、屋根本体１と連結体２とから構成される。
屋根本体１は、例えばスチール製の長板の両側を内側に折り曲げ、略ハの字形に形成してなる係止片１ａを設けてなるものである。
連結体２は、帯板の両側を折り曲げ、下向き略コの字形に形成してなる連結片２ａを設けると共に、上面にボルト等を挿入する挿入孔２ｂを設けてなる。
なお、別の連結体２２として、挿入孔２２ｂにボルトＢを挿入し、抜け止め用のカシメＢ１を形成してなるものも一考である。【００１３】  上記屋根構造の施工例を下記に述べる。
例えば角パイプの屋根枠Ｙの上面に屋根本体１−−−を配置し、近接する係止片１ａ・１ａの上方より連結体２を被せ、ボルトＢ２を各挿入孔２ｂより挿入し、屋根枠Ｙに固定するものである。
なお、固定時に係止片１ａが連結体２の内面にバネ力にて当接（密着）させることにより、強固に施工できる。【００１４】  つぎに、給油所用キャノピーについて述べる。
給油所用キャノピーは、アンカーボルト等を挿入する挿入孔３ａ１を設けてなるアンカー板３ａに所要間隔にて２本の軽量角パイプによる柱３ｂを立設し、上面に斜状に形成したボルト挿入孔３ｃ１を設けた受板３ｃを設けてなる柱本体３と、該柱本体３・３を連結するハシゴ状の連結本体４ａの両側に、取付孔４ｂ１を設けた取付板４ｂを設けてなる連結枠４と、前記屋根構造を取り付けるべく、井桁状に形成した屋根枠５とからなるものである。【００１５】  つぎに、上記給油所用キャノピーの施工方法について下記に述べる。
例えば、ガソリンスタンド内の土間コンクリートＤの設置場所に、アンカーＡ（通称：ケミカルアンカー）を打ち込む。
つぎに、地組にて柱本体３・３の間に連結枠４を取付孔４ｂ１より、ボルト等ＴＢ（タップビスでもよい）にて連結固定する。
つづいて、柱本体３・３の受板３ｃに屋根枠４をボルト等ＴＢ１にて連結固定する。
そして、屋根枠４の上面に、前記屋根構造の屋根本体１と連結体２をボルトＢ２にて連結固定する。
その後、給油所用キャノピーをアンカーＡの位置にアンカー板を合せ、ボルトＢ３にて固定し、立設した後、周囲に別のアンカーＡ１−−−を打ち込み、このアンカーＡ１−−−にスタッドボルトＢ４−−−を螺入し、その上面にメッシュ板Ｍを載置し、周囲に型枠ＫＹを設置した後、内部にコンクリートＫＲを打設してアイランドＡＲを形成する。（ここまで１日以内で施工できる）
そして、アイランドＡＲ上に計量機Ｋを載置してなるものである。
なお、必要に応じて幕板を取り付けたり、横樋、縦樋を設けてもよい。
さらに、組立て手順は上記に限定せず、まず、柱３ｂをアンカーＡにボルトＢ３にて固定した後、各々組立ててもよく、その場所に合せた手順で行えばよい。
【産業上の利用可能性】
【００１６】  上記のように屋根構造によれば、色々な建物における屋根に使用でき、応用範囲は広く、給油所用キャノピーにおいても使用用途を限定することなく、広い用途に使用でき、かつ、常設及び仮設等、どちらにも使用でき、また、施工方法においても工期を短縮できる等、産業上非常に有効なものである。
【図面の簡単な説明】
【００１７】
【図１】  本発明の屋根構造の屋根本体を示す斜視図。
【図２】  本発明の屋根構造の連結体を示す斜視図。
【図３】  本発明の別の屋根構造の連結体を示す斜視図。
【図４】  本発明の屋根構造の使用状態を示す要部の正面図。
【図５】  本発明の給油所用キャノピーの柱本体を示す一部縦断側面図。
【図６】  本発明の給油所用キャノピーの柱本体を示す正面図。
【図７】  本発明の給油所用キャノピーの連結枠を示す一部縦断正面図。
【図８】  本発明の給油所用キャノピーの連結枠を示す側面図。
【図９】  本発明の給油所用キャノピーの屋根枠を示す平面図。
【図１０】  本発明の給油所用キャノピーの屋根枠を示す正面図。
【図１１】  本発明の給油所用キャノピーの施工状態を示す側面図。
【図１２】  本発明の給油所用キャノピーの施工状態を示す正面図。
【図１３】  従来例を示す一部縦断側面図。
【符号の説明】
【００１８】１−−−屋根本体
２−−−連結体
３−−−柱本体
４−−−連結枠
５−−−屋根枠
Ｄ−−−土間
Ａ−−−アンカー
Ｋ−−−計量機
【図１】
2005299357.tif 000003
【図２】
2005299357.tif 000004
【図３】
2005299357.tif 000005
【図４】
2005299357.tif 000006
【図５】
2005299357.tif 000007
【図６】
2005299357.tif 000008
【図７】
2005299357.tif 000009
【図８】
2005299357.tif 000010
【図９】
2005299357.tif 000011
【図１０】
2005299357.tif 000012
【図１１】
2005299357.tif 000013
【図１２】
2005299357.tif 000014
【図１３】
2005299357.tif 000015